(57)【要約】【課題】一回の押圧だけでお茶を持続に流れ出し可能であり、もう一度押圧すると、お茶の流れ出しを停止できるお茶入れ機を提供する。【解決手段】周面に切り欠が複数設けられる台座と、台座に結合される規制台と、規制台と台座の間に設けられる緊迫バネと、規制台の流れ通路に挿入されて台座に当接し、その外周面に環状凸部と往復定位手段とが設けられる中心軸と、規制台に脱着可能に結合され、その半径方向に沿って環状押え板が延び、その中心軸の方向に沿って規制穴が設けられる結合台と、一端が規制台の規制穴に挿入され、他端が中心軸の往復定位手段内に位置する規制ロッドと、中心軸と結合台の間に設けられる回復バネと、底部の開口に規制凸縁が設けられ、環状押え板の押えにより、結合台及び規制台が規制凸縁と環状押え板とに挟まれるお茶入れ容器と、お茶入れ容器の上部の開口を密封する密封蓋と、を含む。【選択図】図１
0003167932.tif 000002
【実用新案登録請求の範囲】
【請求項１】
周面に切り欠が複数設けられる台座と、
前記台座に結合され、流れ通路と、ねじ部と、を有する規制台と、
前記規制台と前記台座の間に設けられ、前記規制台の前記台座から離れる弾力を提供する緊迫バネと、
前記規制台の前記流れ通路に挿入されて前記台座に当接し、その外周面には、環状凸部と、往復定位手段と、が設けられる中心軸と、
前記規制台に脱着可能に結合され、その半径方向に沿って環状押え板が延び、その中心軸の方向に沿って規制穴が設けられる結合台と、
一端が前記規制台の前記規制穴に挿入され、他端が前記中心軸の前記往復定位手段内に位置する規制ロッドと、
前記中心軸と前記結合台の間に設けられ、前記結合台の前記中心軸から離れる弾力を提供する回復バネと、
底部の開口に規制凸縁が設けられ、前記環状押え板の押えにより、前記結合台及び前記規制台が前記規制凸縁と前記環状押え板とに挟まれるお茶入れ容器と、
前記お茶入れ容器の上部の開口を密封する密封蓋と、
を含み、
前記お茶入れ容器は、外力を受けと注ぎ可能と注ぎ不能との位置に往復に変位でき、前記お茶入れ容器が注ぎ不能の位置に位置しているときには、前記規制台が前記緊迫バネに押付けられて、前記中心軸の前記環状凸部により前記規制台の前記流れ通路が閉鎖され、前記規制ロッドの一端が前記往復定位手段内にある上開始点溝に位置し、なお、前記お茶入れ容器が注ぎ可能の位置に位置しているときには、前記規制台が前記緊迫バネを圧縮して、前記中心軸の前記環状凸部が前記規制台の前記流れ通路から離脱し、前記規制ロッドの一端が前記往復定位手段内にある下開始点溝に位置することを特徴とするお茶入れ機。
【請求項２】
前記台座の底部に回転盤が枢着され、前記回転盤は外力を受けると前記台座に対して回転し、前記台座の底部には、前記回転盤と同心しないように前記回転盤に枢着される脚が複数設けられ、前記回転盤が時計方向に回転するときには、前記脚が前記切り欠の内部に引込み、前記回転盤が反時計方向に回転するときには、前記脚が前記切り欠の外部に伸びることを特徴とする、請求項１に記載のお茶入れ機。
【請求項３】
前記往復定位手段は、上動スライド溝と、下動スライド溝と、を有し、前記下動スライド溝の終点が前記上動スライド溝の始点と連通し、前記上動スライド溝の始点での凹み深さは、前記下動スライド溝の終点での凹み深さよりも深く、前記下開始点溝は、前記上動スライド溝の始点と前記下動スライド溝の終点との連接箇所に位置し、前記上動スライド溝の終点が前記下動スライド溝の始点と連通し、前記下動スライド溝の始点での凹み深さは、前記上動スライド溝の終点での凹み深さよりも深く、前記上開始点溝は、前記下動スライド溝の始点と前記上動スライド溝の終点との連接箇所に位置し、前記規制ロッドの形状はコ字形を呈し、前記お茶入れ容器が注ぎ不能位置から注ぎ可能位置に移動するときには、前記規制ロッドの一端が前記下動スライド溝に沿ってスライドして前記下開始点溝に進入し、前記お茶入れ容器が注ぎ可能位置から注ぎ不能位置に移動するときには、前記規制ロッドの一端が前記上動スライド溝に沿ってスライドして前記上開始点溝に進入することを特徴とする、請求項１に記載のお茶入れ機。
【考案の詳細な説明】
【技術分野】
【０００１】
本考案は、お茶を入れる装置に関し、特に、お茶入れ機に関するものである。
【背景技術】
【０００２】
従来のお茶入れ機は、お湯に茶葉を入れた後、手で押圧してお茶を押出して飲用する。
しかし、手による押圧が中断すると、お茶の押出しが中止するため、極めて不便であり、そしてその分解作業が困難であるため、洗浄および収納が容易ではなく、且つその底部の容器を支持する部分の直径が一定であるため、合せ可能な容器が限定されるといった多くの問題があった。
【考案の概要】
【考案が解決しようとする課題】
【０００３】
本考案の主な目的は、一回の押圧だけでお茶を持続に流れ出し可能であり、もう一度押圧すると、お茶の流れ出しを停止できるお茶入れ機を提供することにある。
【課題を解決するための手段】
【０００４】
本考案のお茶入れ機によると、周面に切り欠が複数設けられる台座と、
前記台座に結合され、流れ通路と、ねじ部と、を有する規制台と、
前記規制台と前記台座の間に設けられ、前記規制台の前記台座から離れる弾力を提供する緊迫バネと、
前記規制台の前記流れ通路に挿入されて前記台座に当接し、その外周面には、環状凸部と、往復定位手段と、が設けられる中心軸と、
前記規制台に脱着可能に結合され、その半径方向に沿って環状押え板が延び、その中心軸の方向に沿って規制穴が設けられる結合台と、
一端が前記規制台の前記規制穴に挿入され、他端が前記中心軸の前記往復定位手段内に位置する規制ロッドと、
前記中心軸と前記結合台の間に設けられ、前記結合台の前記中心軸から離れる弾力を提供する回復バネと、
底部の開口に規制凸縁が設けられ、前記環状押え板の押えにより、前記結合台及び前記規制台が前記規制凸縁と前記環状押え板とに挟まれるお茶入れ容器と、
前記お茶入れ容器の上部の開口を密封する密封蓋と、
を含み、
前記お茶入れ容器は、外力を受けと注ぎ可能と注ぎ不能との位置に往復に変位でき、前記お茶入れ容器が注ぎ不能の位置に位置しているときには、前記規制台が前記緊迫バネに押付けられて、前記中心軸の前記環状凸部により前記規制台の前記流れ通路が閉鎖され、前記規制ロッドの一端が前記往復定位手段内にある上開始点溝に位置し、なお、前記お茶入れ容器が注ぎ可能の位置に位置しているときには、前記規制台が前記緊迫バネを圧縮して、前記中心軸の前記環状凸部が前記規制台の前記流れ通路から離脱し、前記規制ロッドの一端が前記往復定位手段内にある下開始点溝に位置することを特徴とする。
【０００５】
本考案のお茶入れ機によると、前記台座の底部に回転盤が枢着され、前記回転盤は外力を受けると前記台座に対して回転し、前記台座の底部には、前記回転盤と同心しないように前記回転盤に枢着される脚が複数設けられ、前記回転盤が時計方向に回転するときには、前記脚が前記切り欠の内部に引込み、前記回転盤が反時計方向に回転するときには、前記脚が前記切り欠の外部に伸びることを特徴とする。
【０００６】
本考案のお茶入れ機によると、前記往復定位手段は、上動スライド溝と、下動スライド溝と、を有し、前記下動スライド溝の終点が前記上動スライド溝の始点と連通し、前記上動スライド溝の始点での凹み深さは、前記下動スライド溝の終点での凹み深さよりも深く、前記下開始点溝は、前記上動スライド溝の始点と前記下動スライド溝の終点との連接箇所に位置し、前記上動スライド溝の終点が前記下動スライド溝の始点と連通し、前記下動スライド溝の始点での凹み深さは、前記上動スライド溝の終点での凹み深さよりも深く、前記上開始点溝は、前記下動スライド溝の始点と前記上動スライド溝の終点との連接箇所に位置し、前記規制ロッドの形状はコ字形を呈し、前記お茶入れ容器が注ぎ不能位置から注ぎ可能位置に移動するときには、前記規制ロッドの一端が前記下動スライド溝に沿ってスライドして前記下開始点溝に進入し、前記お茶入れ容器が注ぎ可能位置から注ぎ不能位置に移動するときには、前記規制ロッドの一端が前記上動スライド溝に沿ってスライドして前記上開始点溝に進入することを特徴とする。
【考案の効果】
【０００７】
本考案のお茶入れ機によれば、一回の押圧だけでお茶を持続に流れ出し可能であり、もう一度押圧すると、お茶の流れ出しを停止できるという効果を有する。
【図面の簡単な説明】
【０００８】
【図１】本考案の第１実施例の分解斜視図である。
【図２】本考案の第１実施例の組合済み状態の斜視図である。
【図３】本考案の第１実施例の組合済み状態の断面図である。
【図４】本考案のお茶入れ機が押圧される前の状態を示す断面図である。
【図５】本考案のお茶入れ機が押圧された状態を示す断面図である。
【図６】本考案のお茶入れ機の流れ通路が閉じられた状態の模式図である。
【図７】本考案のお茶入れ機の流れ通路が開けられた状態の模式図である。
【図８】本考案の往復定位手段の動作を示す模式図（Ａ）である。
【図９】本考案の往復定位手段の動作を示す模式図（Ｂ）である。
【図１０】本考案の往復定位手段の動作を示す模式図（Ｃ）である。
【図１１】本考案の往復定位手段の動作を示す模式図（Ｄ）である。
【図１２】本考案の往復定位手段の動作を示す模式図（Ｅ）である。
【図１３】本考案のお茶入れ機を分解する動作を示す模式図である。
【図１４】本考案の第２実施例の斜視図である。
【図１５】本考案の第３実施例の斜視図である。
【図１６】本考案の作動を示す下面図（Ａ）である。
【図１７】本考案の作動を示す下面図（Ｂ）である。
【図１８】図１の第１実施例の別の態様を示す斜視図である。
【考案を実施するための形態】
【０００９】
以下、本考案の実施の形態を図面に基づいて説明する。
まず、図１乃至図１８を参照する。本考案のお茶入れ機１００は、台座１０と、回転盤２０と、三つの脚３０と、規制台４０と、緊迫バネ５０と、中心軸６０と、結合台７０と、規制ロッド８０と、回復バネ９０と、お茶入れ容器９１と、密封蓋９２と、を含む。
【００１０】
図１乃至図３を参照する。台座１０は、複数の連接リブ１１を有し、その底部の周面に三つの切り欠１２が設けられる。
【００１１】
回転盤２０は、台座１０の底部の中心に枢着され、力を受けると台座１０に対して回転する。
【００１２】
脚３０は、一端が回転盤２０の中心からずれるように回転盤２０に枢着され、他端が台座１０の切り欠１２に位置する。
【００１３】
規制台４０の底部には、二つの連接柱４１１が一組となる連接部４１が複数設けられ、連接柱４１１同士の間に予定の隙間が存在し、前記隙間に台座１０の連接リブ１１が挿入され、これにより、連接部４１と台座１０の連接リブ１１との連結が脱着可能である。規制台４０の上部に内ねじ部４２が設けられる。規制台４０の中心に流れ通路４３が設けられる。
【００１４】
緊迫バネ５０は、規制台４０と台座１０の間に設けられ、規制台４０の台座１０から離れる弾力を提供する。
【００１５】
図１乃至図３を参照すると共に、図８乃至図１２を参照する。中心軸６０は、規制台４０の流れ通路４３に挿入されて台座１０に当接し、その外周面の一部に環状凸部６１が設けられ、その一側面に往復定位手段６２が設けられる。往復定位手段６２は、下動スライド溝６２１と、上動スライド溝６２２と、を有し、下動スライド溝６２１の終点が上動スライド溝６２２の始点と連通し、上動スライド溝６２２の始点での凹み深さは、下動スライド溝６２１の終点での凹み深さよりも深く、下開始点溝６２３は、上動スライド溝６２２の始点と下動スライド溝６２１の終点との連接箇所に位置し、上動スライド溝６２２の終点が下動スライド溝６２１の始点と連通し、下動スライド溝６２１の始点での凹み深さは、上動スライド溝６２２の終点での凹み深さよりも深く、上開始点溝６２４は、下動スライド溝６２１の始点と上動スライド溝６２２の終点との連接箇所に位置する。
【００１６】
結合台７０は、規制台４０に脱着可能に結合され、その中心軸の方向に沿って規制穴７１が設けられ、その半径方向に沿って環状押え板７２が延び、その底側の軸方向に沿って中空ネック軸７３が設けられ、中空ネック軸７３の外周面に外ねじ部７４が設けられる。これにより、結合台７０は、その軸方向に沿ってお茶入れ容器９１の底側を挿通して規制台４０の内ねじ部４２と螺合することができる。
【００１７】
規制ロッド８０は、その形状がコ字形を呈し、一端が結合台７０の規制穴７１に挿入され、他端が中心軸６０の往復定位手段６２内に位置する。
【００１８】
回復バネ９０は、中心軸６０と結合台７０の間に設けられ、結合台７０の中心軸６０から離れる弾力を提供する。
【００１９】
お茶入れ容器９１は、中空体であり、底部開口９１Ａの内周面に環状規制凸縁９１１が設けられ、環状規制凸縁９１１に複数の欠け口９１２が形成され、これにより、環状規制凸縁９１１の上側が結合台７０の環状押え板７２の底側に当接する。中空ネック軸７３の外ねじ部７４がその軸方向に沿ってお茶入れ容器９１の底側を挿通して規制台４０の内ねじ部４２と螺合すると、お茶入れ容器９１が規制台４０と結合するようになる。このとき、結合台７０と中心軸６０とはお茶入れ容器９１内に位置する。
【００２０】
密封蓋９２は、お茶入れ容器９１の上部の開口を密封するためのものである。
【００２１】
次に、本考案のお茶入れ機の動作及び特徴を説明する。まず、コップ９９１に本考案のお茶入れ機を入れて、図４に示すように、お茶入れ容器９１内のお湯で茶葉を浸した後、密封蓋９２又はお茶入れ容器９１を手で一回に押圧することにより、お茶入れ容器９１が下方に移動して結合台７０も同期に下方に移動し、そうすると、図８及び図９に示すように、規制ロッド８０の一端が往復定位手段６２の下動スライド溝６２１の始点から、下動スライド溝６２１の終点にスライドする。手による押圧力が消える場合には、図１０に示すように、規制ロッド８０の一端が、上動スライド溝６２２の始点にスライドして進入して下開始点溝６２３内に規制され、且つ規制台４０が緊迫バネ５０を圧縮する。これにより、図７に示すように、規制台４０の流れ通路４３は中心軸６０の環状凸部６１に閉鎖されなくなり、そうすると、図５に示すように、お茶入れ容器９１のお茶が規制台４０の流れ通路４３を経由してコップ９９１に持続に注ぐようになる。
【００２２】
お茶入れ容器９１内のお茶が無くなり、或いはコップに一定量のお茶が注入された後、密封蓋９２又はお茶入れ容器９１を手でもう一度押圧することにより、規制ロッド８０の中心軸６０の往復定位手段６２内に位置する一端は、図１１に示すように、下開始点溝６２３から離脱して、回復バネ９０による弾力により上動スライド溝６２２の始点から、上動スライド溝６２２の終点にスライドして、図１２に示すように、上開始点溝６２４に進入して定位される。このとき、緊迫バネ５０による弾力により規制台４０が上方に移動して、図６に示すように、規制台４０の流れ通路４３が中心軸６０の環状凸部６１に閉鎖されるようになり、そうすると、お茶入れ容器９１のお茶の外部への注ぎが中止する。
【００２３】
本考案のお茶入れ機によれば、お茶入れ機を押圧する回数により、お茶入れ容器９１のお茶を外部へ持続に注ぎ、又はお茶入れ容器９１のお茶の外部への注ぎを中止することができ、すなわち、お茶入れ容器９１のお茶を外部へ持続に注ぐために、お茶入れ機を持続に押圧することが必要なくなり、使用が極めて便利である。
【００２４】
また、本考案のお茶入れ機によれば、分解作業が極めて容易である。結合台７０を反時計方向に回転することにより、図１３に示すように、中空ネック軸７３の外ねじ部７４が規制台４０の内ねじ部４２から離脱し、そうすると、結合台７０、規制台４０及び中心軸６０などの部材を分解することができ、洗浄および収納が容易となる。
【００２５】
また、上記の実施例のお茶入れ容器９１は、上記の造形に限定されなく、もちろん、図１４に示したティーポットの造形にしてもいいし、図１５に示したコップの造形にしてもよい。
【００２６】
本考案では、伸縮可能な脚３０が三つ設けられ、回転盤２０を時計方向に回転するときには、図１６に示すように、脚３０が切り欠１２の内部に引込み、回転盤２０を反時計方向に回転するときには、図１７に示すように、脚３０が切り欠１２の外部に伸びる。脚３０が切り欠１２の外部に伸びた場合には、底部が広くになり、図１８に示すように、コップ９９１の開口を跨ることができる。
【００２７】
本考案のお茶入れ機１００は、中心軸６０の環状凸部６１に図１に示した液密リング９９２を設けてもよい。液密リング９９２により、流れ通路４３を液密する効果を増加できる。もちろん、液密効果を向上するために、お茶入れ容器９１の環状規制凸縁９１１と規制台４０との間にシールパッキン９９３を設けてもよい。
【産業上の利用可能性】
【００２８】
本考案は、お茶入れ機に適用することができる。
【符号の説明】
【００２９】
１０：台座
１１：連接リブ
１２：切り欠
２０：回転盤
３０：脚
４０：規制台
４１：連接部
４２：定位ラグ
４３：流れ通路
５０：緊迫バネ
６０：中心軸
６１：環状凸部
６２：往復定位手段
７０：結合台
７１：規制穴
７２：環状押え板
７３：中空ネック軸
７４：外ねじ部
８０：規制ロッド
９０：回復バネ
９１：お茶入れ容器
９１Ａ：底部開口
９２：密封蓋
１００：お茶入れ機
４１１：連接柱
６２１：下動スライド溝
６２２：上動スライド溝
６２３：下開始点溝
６２４：上開始点溝
９１１：環状規制凸縁
９１２：欠け口
９９１：コップ
９９２：液密リング
９９３：シールパッキン
【図１】
0003167932.tif 000003
【図２】
0003167932.tif 000004
【図３】
0003167932.tif 000005
【図４】
0003167932.tif 000006
【図５】
0003167932.tif 000007
【図６】
0003167932.tif 000008
【図７】
0003167932.tif 000009
【図８】
0003167932.tif 000010
【図９】
0003167932.tif 000011
【図１０】
0003167932.tif 000012
【図１１】
0003167932.tif 000013
【図１２】
0003167932.tif 000014
【図１３】
0003167932.tif 000015
【図１４】
0003167932.tif 000016
【図１５】
0003167932.tif 000017
【図１６】
0003167932.tif 000018
【図１７】
0003167932.tif 000019
【図１８】
0003167932.tif 000020